(57)【要約】      （修正有）【課題】組子の基本形体である先端部には異形六角体を持つ三ツ矢状形体において、中心部から三方向に放射した形体になって、中心部には各異型六角形の先端の矢先部が嵌合でき、自由に変更組み合わせが可能な組子の基本形体である三ツ矢形体を提供する。【解決手段】組子の基本形体である先端部には異形六角体を持つ三ツ矢状形体であって、前記六角体を持つ三ツ矢状形体の各矢先部は、中心部から各々１２０°の等間隔の角度で三方向に放射した形状になって、前記矢先部の異形六角体は各角度を１２０°にして、先端部の一辺を縦方向の一辺の１／２の寸法になっており、中心部には各異型六角形の先端の矢先部が嵌合できるようになって、中心部付け根の幅を矢先部の横幅の１／２の寸法にしている。【選択図】図１
0003214296.tif 000002
【実用新案登録請求の範囲】
【請求項１】
組子の基本形体である先端部に異形六角体を持つ三ツ矢状形体であって、前記六角体を持つ三ツ矢状形体の各矢先部は、前記三ツ矢状形体の中心部から各々１２０°の等間隔の角度で三方向に放射した形体になって、前記矢先部の異形六角体は各角度を１２０°にして、先端部の一辺を縦方向の一辺の１／２の寸法になっており、中心部には各異型六角形の先端の矢先部を咬合できるような形状にして、中心部付け根の幅を矢先部の横幅の１／２の寸法になっていることを特徴とする組子の基本形体である三ツ矢形体
【請求項２】
三ツ矢状形体における木質材の厚さは３〜１０ｍｍで、平面性を±０．５ｍｍ以内の面の粗さになっているヒノキ、モミ、ブナ、クスノキ、チーク、カエデ、トドマツ、ケヤキ、アスナロ、ツガ、サクラ、ベイヒバ、アガチスから選ばれた材料を使用して、前記の三ツ矢状形体の異型六角形の先端部の一辺の寸法を１５〜２５ｍｍ、矢先部の横幅の寸法を２５〜４２ｍｍにしていることを特徴とする請求項１記載の組子の基本形体である三ツ矢状形体。
【請求項３】
組子の基本形体である三ツ矢状形体である木質材の平面に、全体に２〜４ｍｍ線状の溝模様、或いは異形六角体に種々形状模様の彫りこみ、及び三ツ矢状形体の縁部と中央部を幅３〜５ｍｍの格子体にして内部を切り抜き・穿設した模様付き三ツ矢形体にしていることを特徴とする請求項１、又は請求項に記載の組子の基本形体である三ツ矢状形体。
【請求項４】
模様付き三ツ矢状形体は、１〜８個によって装飾板品として用い、或いは１０〜２００個を連続的に咬合して、組子の幾何学模様として、麻の葉（真金、又は桐）模様、胡麻殻（亀甲）模様、桜（亀甲）模様、植江模様、紗綾形崩し模様に構成された組子体に仕上げて、装飾具又は家具又は建具に使用されることを特徴とする請求項１〜請求項３のいずれかに記載の組子の基本形体である三ツ矢状形体。
【請求項５】
前記木質材は、木質加工により木材の内部に樹脂成分を注入したり、或いは当該木材の平滑表面に１５〜５０μｍの透明な樹脂フイルムを接着させていることを特徴とする請求項１〜請求項４のいずれかに記載の組子の基本形体である三ツ矢状形体。
【考案の詳細な説明】
【技術分野】
【０００１】  本考案は、組子の基本形体である先端部に異形六角体を持つ三ツ矢状形体で各矢先部は、中心部から各々１２０°の等間隔の角度で三方向に放射した形体になって、中心部には各異型六角形の先端の矢先部が嵌合できるようになっている組子の基本形体である三ツ矢状形体に関する。
【背景技術】
【０００２】一般に木材以外にＮＣ切削技術を使用した製品としては、熱による影響を受けやすい熱可塑性樹脂系基材の上下面を熱による寸法安定性に優れた木質系基材で積層した材料を有するものである。熱可塑性樹脂系基材の上下の表面は木質系基材から構成されているため、表面の平滑性、耐湿性、耐腐食性に劣るものであり、この複合床材をリサイクルする際に接着剤を除去する作業が必要となる。従って、この複合床材は、加工には好ましいがリサイクルに適する材料ではなかった（特許文献１参照）。【０００３】従来より、化粧パネルとして、金属製、木製、プラスチック製又はセラミック製等多くの材質が使用されている。化粧パネルとは、特定の製品を示すものではなく、板状物質の表面に模様を持ち、優れた意匠性を有する一連の商品群を示すもので、具体的には、浴室や玄関先に使用されるタイル、建物の外壁あるいは内壁用材料、家具の外装材、各種飾り額、各種箱の飾り板、構造材料、家庭園芸用材料等に使用される。化粧パネルを製造する方式としては、製造コストの削減を優先視する大量生産方式が主流を占めており、消費者は、製造者が生産した限られた品種の中から自分が好きなものを選択していた。【０００４】木材内部の透過性を向上させるために、木材へ多数の深い細孔を穿設するにおいて、直径の小さなドリルが欠損し難く、効率良く穿孔できる木材の穿孔方法として、ドリルを用いて木材に多数の細孔を穿設する木材の穿孔方法であって、ドリルの直径を１．０〜２．５ｍｍとし、ドリルの突出長さＨを、穿孔深さｈとドリル直径ｄとの関係式によって定め、複数ある各ドリルを昇降可能にして、木材に抜け節がある抜け節を検知して、ＮＣ制御手段が抜け節に対応するドリルのみを下降させないように制御する方法を提案されている（特許文献３参照）。【０００５】前記木材板材は、横幅３００〜１０００ｍｍ、縦幅５００〜１０００ｍｍである形状の板材をもって、平面性を持つ板材料を使用して格子状組子様相を呈している装飾板材を提案しているものは存在していない
【先行技術文献】
【特許文献】
【０００６】
【特許文献１】特開２００９−４６９０９号公報
【特許文献３】特開２０１０−２１４７６０号公報
【考案の概要】
【考案が解決しようとする課題】
【０００７】前記従来の化粧木製板材のパネルは、金属製パネルやセラミック製パネルに比べて切削が容易であるが、天然木材を使用した場合、木材の種類により堅さが異なり、また、同じ木材でも年輪や節の影響により部分的に堅さが変わるため、彫刻がしにくく、熟練を要する手技が中心の製造方法が採用されていた。基本形状の組子基体を製作しておけば、種々のモデルの組子装飾品の製作が可能である。そのような基本形体は存在しておらず、組子を手動、又は機械によって製作されているが、素人では困難で、安定した品質のものが得にくい状況になりつつある。素人でも簡単に組子を組み立てることが望まれている。【０００８】さらに、天然木材を使用した場合、時間経過と共に腐る性質があり、長期使用のためには防腐処理が必要とされるが、表面のみにしか防腐処理が届かず、限定的な効果しか期待できない場合が多かった。また、この化粧木製板材の組子における切削加工を、個人の消費者を対象とした少量生産方式の製造方法に適用した場合、以下の問題があった。パネル寸法、色、図柄、表面仕上げ、生産量等を消費者が指定することが困難であった。複数の組子模様を呈している装飾板材を用いて、簡単な組子の基本モデルを種々製作して、それらの組み合わせ既存の組子装飾品、あるいはそれを使用した家具又は建具に活用できることが期待されている。【０００９】また、格子の組子は手作業によって生産を行うので非常に製造コストの高い製品になり、さらに、製品を再生産する場合の再現性が乏しいという問題もあった。本考案はかかる事情に鑑みてなされたもので、一つの基本組子モデルを種々組み合わせて、独自に木質感を保持した組子模様を呈した形態に組み合わせ、嵌合できる組子系化粧板材を製作でき、自由に変更が可能であり、少数の消費者に応じて組子デザインを創作することができ、種々の組子様相を呈している装飾板材の基本形状を簡単に提供することを目的とする。
【課題を解決するための手段】
【００１０】組子の基本形体である先端部には異形六角体を持つ三ツ矢状形体であって、前記六角体を持つ三ツ矢状形体の各矢先部は、中心部から各々１２０°の等間隔の角度で三方向に放射した形体になって、前記矢先部の異形六角体は各角度を１２０°にして、先端部の一辺を縦方向の一辺の１／２の寸法になっており、中心部には各異型六角形の先端の矢先部が嵌合できるようになって、中心部付け根の幅を矢先部の横幅の１／２の寸法にしている組子の基本形体である三ツ矢状形体である。【００１１】  三ツ矢状形体における木質材の厚さは３〜１０ｍｍで、平面性を±０．５ｍｍ以内の面の粗さになっているヒノキ、モミ、ブナ、クスノキ、チーク、カエデ、トドマツ、ケヤキ、アスナロ、ツガ、サクラ、ベイヒバ、アガチスから選ばれた材料を使用して、前記の三ツ矢形体の異型六角形の先端部の一辺の寸法を１５〜２５ｍｍ、矢先部の横幅の寸法を２５〜４２ｍｍにしている。【００１２】組子の基本形体である三ツ矢状形体である木質材の平面に、全体に２〜４ｍｍ線状の溝模様、或いは異形六角体に種々形状模様の彫りこみ、及び三ツ矢状形体の縁部と中央部を幅３〜５ｍｍの格子体にして内部を切り抜き・穿設した模様付き三ツ矢状形体にしている。【００１３】模様付き三ツ矢状形体は、１〜数個によって装飾板品として用い、或いは１０〜２００個を連続的に咬合して、組子の幾何学模様として、麻の葉（真金、又は桐）模様、胡麻殻（亀甲）模様、桜（亀甲）模様、植江模様、紗綾形崩し模様、に構成された組子体に仕上げて、装飾具又は家具又は建具に使用される。【００１４】前記木質材は、木質加工により木材の内部に樹脂成分を注入したり、或いは当該木材の平滑表面に１５〜５０μｍの透明な樹脂フイルムを接着させている。
【考案の効果】
【００１５】組子の基本形体である三ツ矢状形体である一つの基本組子モデルを種々組み合わせて、独自に木質感を保持した組子模様を呈した形態に組み合わせ、嵌合できる組子系化粧板材を製作でき、１〜数個によって装飾板品として１０〜２００個を連続的に咬合した幾何学模様になり、組子自由に変更が可能であり、少数の消費者に応じて組子デザインを創作することができ、種々の組子様相を呈している装飾板材の基本形状を簡単に提供できるようになった。【００１６】三ツ矢状形体である組子は手作業によって生産を行うので非常に製造コストの高い製品になり、さらに、製品を再生産する場合の再現性が乏しいという問題もあった。木質感を保持した組子模様を呈した形状を容易に組み立てできる木質組子化粧板材と、少数の消費者の注文に応じてデザインを決定することができ、再現性のよく組子様相を呈している組子の装飾板を提供できる。【００１７】組子の基本形体である三ツ矢状形体は、独自に木質感を保持した組子模様を呈した形態に組み合わせ、嵌合できる組子系化粧板材を製作でき、自由に変更が可能であり、少数の消費者に応じて組子デザインを創作することができ、種々の組子様相を呈している装飾板材の基本形状を装飾具又は家具又は建具に簡単に提供できるようになった。
【図面の簡単な説明】
【００１８】
【図１】組子の基本形体である三ツ矢状形体の斜視図である。
【図２】組子の基本形体である三ツ矢状形体の平面模様の種々形状の図である。  Ａ：溝入り模様  Ｂ：線状彫り込み模様  Ｃ：中空掘り込み模様
【図３】組子の基本形体である三ツ矢状形体の種々の組み合わせによる組子様相の図である。  Ａ：  ６体の組み合わせ状態  Ｂ：１７５体の組み合わせ状態
【図４】組子の基本形体である三ツ矢状形体を使用した状態を示した図である。  Ａ：  額縁入り装飾具  Ｂ：建具（引き戸）
【考案を実施するための形態】
【００１９】  以下、本発明の実施例について図面を参照しながら説明する。図１は、組子の基本形体である三ツ矢状形体の斜視図で、図２は、組子の基本形体である三ツ矢状形体の平面模様の種々形状の図で、図３は、組子の基本形体である三ツ矢状形体の種々の組み合わせによる組子様相の図で、図４は、組子の基本形体である三ツ矢状形体を使用した状態を示した図である。
【実施例１】
【００２０】図１に示すように、組子の基本形体である先端部には異形六角体を持つ三ツ矢状形体であって、前記六角体を持つ三ツ矢状形体の各矢先部は、中心部から各々１２０°の等間隔の角度で三方向に放射した形状になって、前記矢先部の異形六角体は各角度を１２０°にして、先端部の一辺を縦方向の一辺の１／２の寸法になっており、中心部には各異型六角形の先端の矢先部が嵌合できるようになって、中心部付け根の幅を矢先部の横幅の１／２の寸法にした。【００２１】  三ツ矢形体における木質材の厚さは５ｍｍで、平面性を±０．５ｍｍ以内の面の粗さになっているモミ材料を使用して、前記の三ツ矢形体の異型六角形の先端部の一辺の寸法を１９ｍｍ、矢先部の横幅の寸法を３６ｍｍにした。【００２２】組子の基本形体である三ツ矢形体である木質材の平面に、全体に３ｍｍ線状の溝模様、及び異形六角体に種々形状模様の彫りこみ、及び三ツ矢形体の縁部と中央部を幅４ｍｍの格子体にして内部を切り抜き・穿設した模様付き三ツ矢形体にした。【００２３】模様付き三ツ矢形体は、１〜数個によって装飾板品として用い、組子の幾何学模様として、麻の葉（真金、又は桐）模様に構成された組子体に仕上げて、装飾具に使用した。【００２４】前記木質材は、モミ木材の平滑表面に１５μｍの透明な樹脂フイルムを接着させた。８個によって装飾板品とした。
【実施例２】
【００２５】実施例１と同様に製作して、組子の基本形体である先端部には異形六角体を持つ三ツ矢形体であって、前記六角体を持つ三ツ矢形体の各矢先部は、中心部から各々１２０°の等間隔の角度で三方向に放射した形状になって、前記矢先部の異形六角体は各角度を１２０°にして、先端部の一辺を縦方向の一辺の１／２の寸法になっており、中心部には各異型六角形の先端の矢先部が嵌合できるようになって、中心部付け根の幅を矢先部の横幅の１／２の寸法にしている。【００２６】  三ツ矢形体における木質材の厚さは６ｍｍで、平面性を±０．５ｍｍ以内の面の粗さになっているヒノキ材料を使用して、前記の三ツ矢形体の異型六角形の先端部の一辺の寸法を２１ｍｍ、矢先部の横幅の寸法を４２ｍｍにした。【００２７】組子の基本形体である三ツ矢形体である木質材の平面に、全体に４ｍｍ線状の溝模様、或いは異形六角体に種々形状模様の彫りこみ、及び三ツ矢形体の縁部と中央部を幅５ｍｍの格子体にして内部を切り抜き・穿設した模様付き三ツ矢形体にした。【００２８】模様付き三ツ矢形体は、３０個を連続的に咬合して、組子の幾何学模様として、麻の葉（真金、又は桐）に構成された組子体に仕上げて、建具に使用した。【００２９】前記木質材は、木質加工により木材の内部に樹脂成分を注入したり、或いは当該木材の平滑表面に１５μｍの透明な樹脂フイルムを接着させた。
【実施例３】
【００３０】組子の基本形体である先端部には異形六角体を持つ三ツ矢形体であって、前記六角体を持つ三ツ矢形体の各矢先部は、中心部から各々１２０°の等間隔の角度で三方向に放射した形状になって、前記矢先部の異形六角体は各角度を１２０°にして、先端部の一辺を縦方向の一辺の１／２の寸法になっており、中心部には各異型六角形の先端の矢先部が嵌合できるようになって、中心部付け根の幅を矢先部の横幅の１／２の寸法にしている。【００３１】  三ツ矢形体における木質材の厚さは３〜１０ｍｍで、平面性を±０．５ｍｍ以内の面の粗さになっているモミ材料を使用して、前記の三ツ矢形体の異型六角形の先端部の一辺の寸法を１５〜２５ｍｍ、矢先部の横幅の寸法を２５〜４２ｍｍにしている。【００３２】組子の基本形体である三ツ矢形体である木質材の平面に、全体に２〜４ｍｍ線状の溝模様、或いは異形六角体に種々形状模様の彫りこみ、及び三ツ矢形体の縁部と中央部を幅３〜５ｍｍの格子体にして内部を切り抜き・穿設した模様付き三ツ矢形体にしている。【００３３】模様付き三ツ矢形体は、１〜数個によって装飾板品として用い、或いは１０〜２００個を連続的に咬合して、組子の幾何学模様として、桜（亀甲）模様に構成された組子体に仕上げて、家具又は建具に使用される。【００３４】前記木質材は、木質加工により木材の内部に樹脂成分を注入したり、或いは当該木材の平滑表面に１５〜５０μｍの透明な樹脂フイルムを接着させている。
【符号の説明】
【００３５】１．三ツ矢形体
２．組子状態
３．溝部
４．線状彫り込み
５．中空掘り込み
６．矢先部
７．接合部
８．木質板材
９．異形六角部
１０．  格子模様
１１．  先端部分
１２．  樹脂
１３．  フイルム
１４．  額縁
１５．  枠体
１６．  建具
１７．  装飾具
１８．  格子
【図１】
0003214296.tif 000003
【図２】
0003214296.tif 000004
【図３】
0003214296.tif 000005
【図４】
0003214296.tif 000006
【手続補正書】
【提出日】平成29年10月7日(2017.10.7)
【手続補正１】
【補正対象書類名】実用新案登録請求の範囲
【補正対象項目名】全文
【補正方法】変更
【補正の内容】
【実用新案登録請求の範囲】
【請求項１】
組子の基本形体である先端部に異形六角体を持つ三ツ矢状形体であって、前記六角体を持つ三ツ矢状形体の各矢先部は、前記三ツ矢状形体の中心部から各々１２０°の等間隔の角度で三方向に放射した形体になって、前記矢先部の異形六角体は各角度を１２０°にして、先端部の一辺を縦方向の一辺の１／２の寸法になっており、中心部には各異型六角形の先端の矢先部を咬合できるような形状にして、中心部付け根の幅を矢先部の横幅の１／２の寸法になっていることを特徴とする組子の基本形体である三ツ矢状形体
【請求項２】
三ツ矢状形体における木質材の厚さは３〜１０ｍｍで、平面性を±０．５ｍｍ以内の面の粗さになっているヒノキ、モミ、ブナ、クスノキ、チーク、カエデ、トドマツ、ケヤキ、アスナロ、ツガ、サクラ、ベイヒバ、アガチスから選ばれた材料を使用して、前記の三ツ矢状形体の異型六角形の先端部の一辺の寸法を１５〜２５ｍｍ、矢先部の横幅の寸法を２５〜４２ｍｍにしていることを特徴とする請求項１記載の組子の基本形体である三ツ矢状形体。
【請求項３】
組子の基本形体である三ツ矢状形体である木質材の平面に、全体に２〜４ｍｍ線状の溝模様、或いは異形六角体に種々形状模様の彫りこみ、及び三ツ矢状形体の縁部と中央部を幅３〜５ｍｍの格子体にして内部を切り抜き・穿設した模様付き三ツ矢状形体にしていることを特徴とする請求項１又は請求項２に記載の組子の基本形体である三ツ矢状形体。
【請求項４】
模様付き三ツ矢状形体は、１〜８個によって装飾板品として用い、或いは１０〜２００個を連続的に咬合して、組子の幾何学模様として、麻の葉模様、胡麻殻模様、桜模様、植江模様、紗綾形崩し模様に構成された組子体に仕上げて、装飾具、又は家具又は建具に使用されることを特徴とする請求項３のいずれかに記載の組子の基本形体である三ツ矢状形体。
【請求項５】
前記木質材は、木質加工により木材の内部に樹脂成分を注入したり、或いは当該木材の平滑表面に１５〜５０μｍの透明な樹脂フイルムを接着させていることを特徴とする請求項２〜請求項４のいずれかに記載の組子の基本形体である三ツ矢状形体。